(57)【要約】この発明はマイクロ流体回路中に小滴を形成する為の装置（１）に関係していて、装置は、第１流体を収容していて少なくとも１つの所定の方向において互いに発散する２つの対向壁（１０，１１）により規定されている室（３）と、そして、第２流体を収容していて前記所定の方向に関する上流である前記室（３）の区域中へと導かれているマイクロ通路（８）と、を備えていて、室（３）中へのマイクロ通路（８）の出口は第２流体の為の流れ断面の拡大を構成しており、そしてその拡大が第１流体内に第２流体の小滴（１４）を形成させる。【選択図】    図２
2013523431.tif 000002
【特許請求の範囲】
【請求項１】
マイクロ流体回路中に小滴（１４）を形成する為の装置（１）であって、第１流体を収容していて少なくとも１つの所定の方向において互いに拡散する２つの対向壁（１０，１１）により規定されている室（３）と、そして、第２流体を収容していて前記所定の方向に関する上流である前記室（３）の区域中へと導かれているマイクロ通路（８）と、を備えていて、室（３）中へのマイクロ通路（８）の出口（１３）は第２流体の為の流れ断面の増大を含んでおり、この増大が、第１流体及び／又は第２流体の流量とは独立して、マイクロ通路中に収容されている第２流体から分離され形成されている第２流体の小滴（１４）を形成させる、ことを特徴とする装置。
【請求項２】
前記室（３）が、２つの拡散している対向壁（１０，１１）の間を延びている高さとその高さに比べ長い長さとの実質的に長方形状の断面である、ことを特徴とする請求項１に従っている装置。
【請求項３】
マイクロ通路（８）からの出口（１３）における室（３）の高さ（ｈ１）が、形成される小滴（１４）の直径よりも小さい、ことを特徴とする請求項１又は２に従っている装置。
【請求項４】
前記室の前記壁（１０，１１）の１つが、マイクロ通路（８）の出口（１３）に、段（１６），凹形状部分（１７），又は凸形状部分（１８）を含む、ことを特徴とする請求項１乃至３の何れか１項に従っている装置。
【請求項５】
前記室中の第１流体の流量が実質的に零である、ことを特徴とする請求項１乃至４の何れか１項に従っている装置。
【請求項６】
前記室（３）中の第１流体の流量が所定の値に調節されている、ことを特徴とする請求項１乃至４の何れか１項に従っている装置。
【請求項７】
前記室（３）の前記２つの対向壁（１０，１１）の拡散が、概略的に１％乃至４％の範囲に或る他方に関する前記２つの壁の一方の傾斜に対応している、ことを特徴とする請求項１乃至６の何れか１項に従っている装置。
【請求項８】
第２流体の表面張力を部分的に変化させるための手段を含む、ことを特徴とする請求項１乃至７の何れか１項に従っている装置。
【請求項９】
第２流体の表面張力を変化させるための手段が、例えば、部分的に適用されるレーザ光線又はマイクロ流体回路中に組み込まれている電極を使用して、第２流体を加熱する為の手段を備えている、請求項８に従っている装置。
【請求項１０】
前記室中に導かれている複数のマイクロ通路（８）を含む、ことを特徴とする請求項１乃至９の何れか１項に従っている装置。
【請求項１１】
前記複数のマイクロ通路（８）が、実質的に相互に平行であって前記室（３）の共通の側中に導かれている、ことを特徴とする請求項１０に従っている装置。
【請求項１２】
前記室（１３）が環形状であり、前記複数のマイクロ通路（８）が星形状に配置されていて前記室（３）の内周面中に導かれている、ことを特徴とする請求項１０に従っている装置。
【請求項１３】
２つの部分（２ａ，２ｂ）で作り上げられている本体（２）を備えていて、マイクロ通路（８）及び室（３）の夫々が２つの部分の一方（２ａ）により規定されている１つの壁及び他方の部分（２ｂ）により規定されたもう１つの壁を有している、ことを特徴とする請求項１乃至１２の何れか１項に従っている装置。
【請求項１４】
マイクロ流体回路中に収容されている第１流体中に第２流体の小滴（１４）を形成する方法であって、その内側で拡散する２つの対向壁（１０，１１）を備えていて第１流体を収容している室（３）の入口に第２流体をもたらすこと、及び、第２流体を室（３）の入口中に付勢して室（３）に内側に第２流体の小滴（１４）を形成すること、から成り、前記小滴は、第１流体及び／又は第２流体の流量とは独立して、それがその上流端が第２流体の供給から分離するようになるまで室（３）の２つの対向拡散壁（１０，１１）の間で徐々に大きくなっていく、ことを特徴とする方法。
【請求項１５】
室（３）の入口の第２流体の供給断面を調節することにより、及び、室（３）の前記対向壁（１０，１１）の拡散を調節することにより、及び／又はレーザ光線加熱により又はマイクロ流体回路中に一体化されている電極を使用した加熱により表面張力を変化させることにより、第２流体の小滴（１４）の寸法を調節することから成る、ことを特徴とする請求項１４に従っている方法。
【発明の詳細な説明】
【技術分野】
【０００１】
この発明は、微小流体回路中で小滴を形成する為の装置に関係しており、特に、数百ナノメータ乃至数百マイクロメータの範囲中に入る寸法のマイクロ小滴及びナノ小滴を形成する為の装置に関係している。
【背景技術】
【０００２】
このような小滴は幾つかの技術分野において使用されている。夫々の分野では、小滴を形成する方法は異なっている。
【０００３】
第１の技術分野は、オン−チップ実験適用（on-chip laboratory applications）又は他のバイオテクノロジー（biotechnologies）に関係している。この分野においては、第１の着手が、「搬送（carrier）」流体としても知られている第１流体がその中を流れる少なくとも１つのマイクロ通路を有している装置を使用することから成り、マイクロ通路は、第１流体とは混和できない第２流体がその中を流れている少なくとも１つの第２マイクロ通路中に直角に導かれている。第１流体（一般には、油）が第２流体（生物学的な適用に於いては一般には水）をせん断して、第２流体の小滴を形成し、小滴は次に第１流体により移送される。２つの流体の流量及びマイクロ通路の形状は、所望の量で所望の寸法の小滴を形成するよう調節され、そこで寸法及び量はまた２つの流体の粘性にも従っている。
【０００４】
この形式の装置は必然的に、２つの流体を流す為にポンプの如き強制手段を含む。小滴の寸法は個々の流体の流量の関数（function）であるので、流体流量を正確に調節することが必要であり、それによりこのような装置は使用が困難になっている。
【０００５】
例えば、文献  ＵＳ  ２００６／００５１３２９は、細胞（cell）を含んでいる小滴をカプセル状に包む（encapsulating）為の装置を記載していて、この装置は、その下流部分に拡がり（flare）を提供していて（図９参照）細胞を含んでいる流体の流れを供給する為の第１通路、及び、第１通路を直角に横切る油の流れを運搬する第２通路、の両方を有していて、油の流れが細胞を含んでいる流体の流れをせん断して小滴を形成する。同様な装置が、米国化学学会誌（Journal of the American Chemical Society），巻（Vol.）１２８，１７号，４月５日，２００６年，頁（pp.）５６５６〜５６５８の、Ｙｕｎｇ−Ｃｈｉｅｈ  Ｔａｎ  その他．による文献「脂質小胞中の細胞，タンパク質，そして小溶球の制御されたマイクロ流体カプセル状包み込み（Controlled microfluidic encapsulation of cells, proteins, and microbeads in lipid vesicles）」中に記載されている。
【０００６】
文献ＷＯ  ２００９／０４８５３２もまた小滴を形成する為の装置を記載しており、装置は、ガスを供給する為の第１通路を備えていて、その中には２つの対向側通路が水を供給するよう導かれ水により包まれたガスの気泡（bubble）を形成し、そしてその中には２つの他の側通路が気泡（bubble）をカプセル状に包む（encapsulate）ことが出来るように油を供給するよう導かれている。気泡（bubble）は、もう１つの流体（水）の流れの助けで第１流体（ガス）の流れをせん断することにより形成されている。
【０００７】
流体の流れをせん断することにより小滴を形成する為の他の装置は以下の文献により記載されており：
ＷＯ  ２０１０／０３３２００；ＷＯ  ２００７／１３３７１０；ＳＰＩＥの手法（Proceedings of SPIE），巻（Vol.）７０３８，８月１０日，２００８年，頁（pp.）７０３８１Ｊ−１の、Ｍ−Ｌ  Ｃｏｒｄｅｒｏ  その他．による「小滴マイクロ流体のホログラフィック制御（Holographic control of droplet microfluidics）」；物理学レビューＥ．（Physical Review E.），巻（Vol.）８０，４号，１０月，２００９年，頁（pp.）０４６３０３−１〜０４６３０３−９の、Ｍｉｃｈｅｌｅ  Ｚａｇｎｏｎｉ  その他．による「マイクロ流体流れ中の小滴の電気的に開始された上流合体カスケード（Electrically initiated upstream coalescence cascade of droplets in a microfluidic flow）」；そして、応用物理レター（Applied Physics Letter），巻（Vol.）９３，３号，７月２４日，２００８年，頁（p.）３４１０７の、Ｍ−Ｌ  Ｃｏｒｄｅｒｏ  その他．による「ホログラフィック光線成形を使用した小滴の熱毛細管操作（Thermocapillary manipulation of droplets using holographic beam shaping）:マイクロ流体ピンボール（microfluidic pin ball）」である。
【０００８】
文献  ＵＳ  ２００９／００９８１６８は小滴を形成する為の装置を開示しており、この装置は、オリフィス（orifice）を介して膨張ノズル中に導かれた、流体流れを供給する為の通路を有している。ノズルは２つの拡散壁を有しているとともに、オリフィスから上流の通路中を流れている流体からは異なっている流体を含む。拡散している壁がエマルション（emulsion）が均一であることを確実にしている一方で、オリフィスにおける流体動力学的挟み込み（hydrodynamic pinching）のお蔭により、小滴が形成されている。このシステムは、オリフィスを介し第２室中へと、散乱された相の中央流れ及び２つの側覆い流れを強制し、液体を取り囲んでいる流れの収束がオリフィスにおける線を壊すのに貢献する。
【０００９】
第２の取り組みは、いわゆる「デジタル（digital）」マイクロ流体のそれであり、ここにおいては、小滴が、小滴の異なった複数の部分に対し異なった電気的な電圧を適用することによる、電子濡れ（electrowetting）により典型的には形成されている。
【００１０】
そのような技術を使用して形成された小滴は、ナノ小滴またはマイクロ小滴の寸法よりも遥かに大きい寸法である。そのような技術はまた、小滴間の汚染及び小滴蒸発の問題を生じさせる。
【００１１】
最後に、高いエネルギーを伴って表面に対し衝突して飛び散らしを生じさせる小滴を創出している、インクジェットプリンタシステムとしばしば同様である装置の助けで針（needle）又は孔（hole）を介して液体を急速に排出することにより要求に応じて小滴を創出する幾つかの取り組みが存在している。
【００１２】
第２の技術分野は材料科学に関係しており、ここにおいては、泡（foam）又はエマルション（emulsion）、そして従って気泡（bubble）又は小滴の集団、を創出する為に幾つかの取り組みが開発されている。適用は様々であり、そして特に食品工業及び化粧品工業に関係している。
【００１３】
他の取り組みは、他の小滴中に小滴をカプセル状に包む（encapsulating）ことからなる。例えば、水小滴は、それ自身が水中に含まれている、油小滴中にカプセル状に包まれる（encapsulating）ことが出来る。これらの取り組みの全ては、提供することが困難な高価な強制手段の使用を要求する。
【００１４】
さらには、そして一般的には、小滴又は気泡（bubble）が単一分散形状で得られる、即ち、一定で制御されている寸法を提供する、とともに、小滴が創出される量を増大させることが望まれている。
【発明の概要】
【００１５】
この発明の特定の目的は、簡易で、効率的で、そして高くない、これらの問題に対する解決を提供することである。
【００１６】
この結果、この発明は、マイクロ流体回路（microfluidic circuit）中に小滴を形成する為の装置を提供し、この装置は、第１流体を収容していて少なくとも１つの所定の方向において互いに拡散する２つの対向壁により規定されている室と、そして、第２流体を収容しいて前記所定の方向に関する上流である前記室の区域中へと導かれているマイクロ通路（microchannel）と、を備えていて、室中へのマイクロ通路の出口は第２流体の為の流れ断面の増大を含んでおり、この増大が、マイクロ通路中に収容されている第２流体から分離され形成されている第２流体の小滴を形成させる、ことを特徴としている。
【００１７】
この装置においては、マイクロ通路から室中への出口における第２流体は表面張力による２つの対向力にさらされる。第１の力は、それが形成される時の小滴の表面積変化のお蔭による表面エネルギー勾配（surface energy gradient）であり、そして、マイクロ通路から第２流体を抽出して、室中に突出しマイクロ通路中に含まれている第２流体に連結されている第２流体の「指（finger）」を形成し、そして次には、マイクロ通路中に収容されている第２流体から指を分離させることにより小滴を形成する、傾向にある。
【００１８】
第１の力とは反対の方向に作用し毛管力に対応している第２の力は、マイクロ通路中に収容されている第２流体に対し第２流体の指を付着させておく、傾向にある。
【００１９】
上述した指は、第１の力が第２の力よりも大きくなった時にマイクロ通路中に収容されている第２流体から分離される。マイクロ通路の、及び室の、所定の形状の為に、第１の力は、特に、第２流体の指の容積（volume）の関数（function）である。従って、動作においては、指の容積は第１の力が第２の力よりも大きくなるまで順次増大し、第２の指が小滴を形成するよう分離されるようになる。
【００２０】
小滴は次に、室の断面における増大により上流から下流に向かい移送される。
【００２１】
第１及び第２流体が流れる必要は無く、重要なことは第２流体がマイクロ通路の出口に向かい室中へと供給されることのみである、ことが分からなければならない。従って、種々の流体を強制する為の手段を提供することは必要がない。室内の第２流体の小滴の移送は流れ断面における増大からの結果となる。そこではそれが平坦にされている形状を有している小さな断面の区域中に位置している小滴が、そこではそれがより球の形状を取ることが出来るより大きな断面の区域により自然に引かれている。
【００２２】
さらには、小滴の寸法は第２流体の流量とは実質的に独立している。それは室に対する入口における第２流体供給断面及び室の前記対向壁の収束の実質的な関数であり、即ち、それは固定されている幾何学的なパラメータの関数であり、そして、時間とともに変化せず、小滴の寸法は従って正確に決められている。
【００２３】
さらには、同じ表面張力が小滴を分離することとそれを維持することの両方に作用するので、小滴の寸法は表面張力に依存しない。このような方法においては、小滴寸法は、流体の厳密な性質又はそれらが被るかもしれない如何なる汚染とは独立していて、そして、それは流体の粘度にのみ非常に僅かな程度に依存している。
【００２４】
最後に、小滴の寸法はまた、マイクロ通路の出口からのある距離に位置している壁の形状により影響されず、従って種々の室形状を使用することが可能である。
【００２５】
一例としては、使用される前記室が、２つの拡散している（diverging）対向壁の間を延びている高さとその高さに比べ長い長さとの実質的に長方形状の断面を有する。
【００２６】
一例としては、その長さはその高さの１０倍以上大きくて良い。
【００２７】
当然ながら、前記室は他の形状を提供して良い。特に、前記室の壁は一方向以上に拡散して良い。一例としては、前記室は球又は卵形状であって良い。
【００２８】
好ましいやり方では、マイクロ通路からの出口における前記室の高さは形成される小滴の直径よりも小さい。
【００２９】
変形例においては、前記室の前記壁の１つが、マイクロ通路の出口に、段，凹形状部分，又は凸形状部分を含む。
【００３０】
前記室の入口の形状におけるこれらの変化は、小滴の寸法及び移動速度を制御するのに寄与する。従って、段の存在はより小さな小滴が形成されることを可能にし、凹形状部分は小滴が形成された後の小滴の移動速度を減少させることを可能にし、そして凸形状部分は小滴寸法をより良く決めることを可能にする。
【００３１】
第１実施形態においては、前記室中の第１流体の流量が実質的に零である。
【００３２】
別の実施形態においては、前記室中の第１流体の流量が所定の値に調節されている。
【００３３】
一例としては、前記室の前記２つの対向壁の拡散が、概略的に１％乃至４％の範囲に或る他方に関する前記２つの壁の一方の傾斜に対応している。
【００３４】
当然、これらの値は一例として純粋に与えられていて、そして、前記傾斜は微小（infinitesimal）である値又は１００％の値、即ち、水平壁に対し垂直である壁に対応している、を有して良い。
【００３５】
この発明のもう１つの特徴に従えば、前記装置は第２流体の表面張力を部分的に変化させるための手段を含む。
【００３６】
これは、特に、表面張力が変化されないことによりそれらが有する寸法に比較して、創出された小滴の寸法を調節することを可能にする。
【００３７】
この発明の一実施形態においては、第２流体の表面張力を変化させるための手段が、例えば、部分的に適用されるレーザ光線又はマイクロ流体回路中に組み込まれている電極を使用して又は他の温度制御手段を使用することにより、第２流体を加熱する為の手段を備えている。
【００３８】
マイクロ通路の出口から直ぐの上流に位置されている区域が加熱されたならば、マイクロ通路中に第２流体を保持する傾向にある表面張力が減少され、そして、第２流体の小滴をマイクロ通路から引き離すのに必要な力がより小さくなる。上流から出口を直接加熱することは、それ故に、小滴の寸法を減少させる傾向にある。
【００３９】
逆に、マイクロ通路の出口から直ぐの下流に位置している区域が加熱されたならば、その時は、マイクロ通路から第２流体を抽出する傾向にある表面張力が減少される。出口から直ぐの下流を加熱することは、それ故に、小滴の寸法を増大させる傾向にある。
【００４０】
一般には、加熱は、小滴形成及び分離に関して、マイクロ通路の出口の断面を増大させるのと同じ効果を創出する。
【００４１】
この発明のもう１つの特徴に従えば、前記装置は、前記室中に導かれている複数のマイクロ通路を含む。これ等のマイクロ通路は独立している複数の流体を収容して良く、又はこれ等は複数のマイクロ通路から上流に位置されている共通の通路から生じている分岐の形状であって良い。
【００４２】
第１の変形においては、前記複数のマイクロ通路が実質的に相互に平行であって前記室の共通の側中に導かれている。
【００４３】
第２の変形においては、前記室が環形状であり、前記複数のマイクロ通路が星形状に配置されていて前記室の内周面中に導かれている。
【００４４】
この発明の特定の実施形態においては、前記装置は２つの部分で作り上げられている本体を備えていて、前記マイクロ通路及び前記室の夫々がこれら２つの部分の一方により規定されている１つの壁及びこれら２つの部分の他方により規定されたもう１つの壁を有している。
【００４５】
このようにして、小滴の複数の性質（寸法，速度，その他）を、単に２つの上述した部分の一方又は他方を変化させることにより、変化させることが可能である。
【００４６】
これはまた、小さな高さのマイクロ通路を有し、そして、従って、単一部品として形成されている本体を使用したのと比べ、非常に小さな（例えば、１０マイクロメータ（μｍ）以下）である小滴を形成することを可能にしている。
【００４７】
この発明はまた、マイクロ流体回路中に収容されている第１流体中に第２流体の小滴を形成する方法を提供し、この方法は、その内側で拡散する２つの対向壁を備えていて第１流体を収容している室の入口に第２流体をもたらすこと、及び、第２流体を室の入口中に付勢して室に内側に第２流体の小滴を形成すること、から成り、前記小滴は、その上流端が第２流体の供給から分離するようになるまで前記室の２つの対向拡散壁の間で徐々に大きくなっていく、ことを特徴としている。
【００４８】
好適なやり方では、この方法は、前記室の入口の第２流体の供給断面を調節することにより、及び、前記室の前記対向壁の拡散を調節することにより、及び／又はレーザ光線加熱により又はマイクロ流体回路中に一体化されている電極を使用した加熱により表面張力を変化させることにより、第２流体の小滴の寸法を調節することから成る。
【図面の簡単な説明】
【００４９】
この発明は、限定されない例によりなされている以下の記載を読み、添付の図面を参照することにより、より良く理解されることが出来るし、そしてこの発明の他の詳細，特徴，及び利点が明らかになる。
【図１】図１は、この発明の装置の長手方向断面図である。
【図２】図２は、形成された小滴が示されていない前記装置の横断面図である。
【図３】図３は、第２流体の流量の関数として創出された小滴の寸法を記した図表である。
【図４】図４は、この発明の第１の実施形態のを示している前記装置の概略的な横断面図である。
【図５】図５は、この発明の第２の実施形態のを示している前記装置の概略的な横断面図である。
【図６】図６は、この発明の第３の実施形態を示している前記装置の概略的な横断面図である。
【図７】図７は、２つの部分で形成されている装置を示している、図２に対応している図である。
【図８】図８は、この発明の異なった実施形態における装置の長手方向断面図である。
【図９】図９は、複数のマイクロ通路が平行に配置されていて室中に導かれている異なった実施形態の概略図である。
【図１０】図１０は、複数のマイクロ通路が室中に導かれている分岐を形成しているもう１つの異なった実施形態の概略図である。
【図１１】図１１は、室が環状であり複数のマイクロ通路が星形状に配置されている、もう１つの異なった実施形態の概略図である。
【発明を実施するための形態】
【００５０】
図１及び図２は、マイクロ流体回路中で小滴を形成する為の装置１を示しており、この装置は、２つの平行で対向した側壁４及び２つの対向した長手方向壁１０及び１１により規定されている室３をその中に形成されている本体２を備えている。室３の幅Ｌ、即ち、２つの側壁４間の距離、は、例えば２ミリメータ（ｍｍ）である。室３はまた、室３の正反対の端７に向かっている先端６の形状の端壁５を有している。
【００５１】
本体２はまた、詳細には注射器又はピペットに連結する為の連結オリフィス９に連結された一端及び端壁５の先端６を介して室３中に導かれている他端を伴っているマイクロ通路８を有している。
【００５２】
前記室の底の長手方向壁１０は平坦な壁であり、そして上の長手方向壁１１は室３の正反対の端７に向かい進むにつれて底の長手方向壁１０から順次遠ざかる傾斜部１２を提供している。一例として、室３の２つの対向壁１０及び１１間の拡散は、前記２つの対向壁の一方が他方に対して略１％乃至４％の範囲内にある傾斜に対応して良い。
【００５３】
このようにして、室３の断面は、マイクロ通路８が正反対の端７に向かい進んで導かれている区域から順次増加している。室３の最小の高さｈ１、即ち、マイクロ通路８の出口１３における室３の高さ、は、１０μｍ乃至１００μｍの範囲であり、そして、室３の最大高さｈ２、即ち、その開口端７における室３の高さ、は、２０μｍ乃至１０００μｍの範囲である。
【００５４】
装置１には第２流体の表面張力を部分的に変化させる為の手段が設けられていて良く、これは、例えば、マイクロ回路中に一体化されている電極を使用することにより、又は、外部温度制御を使用することにより、第２流体を加熱する為の手段を備えることを意味している。表面張力は温度に伴い直線状に減少し、その結果として、一定の面積では、電極を使用することによる加熱により（表面張力により掛け合わされた全面積の積に等しい）表面エネルギーを変化させることが出来、マイクロ通路８の出口の断面を増加させることと同じ効果を創出する為には、出口における温度傾斜の減少を伴う。
【００５５】
この発明の１つの異なった実施形態が図９中に示されている。この実施形態においては、室３は長方形状であり、そして、それは全てが室３の共通の側に導かれている複数の実質的に平行なマイクロ通路８に連結されている。
【００５６】
もう１つの異なった実施形態が図１０中に示されていて、ここにおいては、装置が分岐を構成しているマイクロ通路８の配列を有しており、個々の分岐は上流に位置されている単一の最初の通路から来ている。種々の分岐が室３の共通の側中に導かれている。
【００５７】
最後の異なった実施形態が図１１中に示されている。この異なった実施形態においては、通路３は環形状であり、そして装置は星形状に配置された複数のマイクロ通路８を有していて、複数のマイクロ通路８は共通の源１５から放射状に延出しているとともに室３の内周面中に導かれている。
【００５８】
これらの異なった実施形態は、単一の室内に小滴の複数の流れが同時に形成されることを可能にしている。これは特に、例えば異なった成分（ingredient）を含んでいる小滴の集団を創出することが望まれている時に、役立つ。要求に従い、このようにして形成された如き小滴は、泡（foam）又はエマルション（emulsion）の形状で取り扱かわれるか又は装置から抽出されて良い。
【００５９】
この小滴−形成装置の動作は、以下に詳細に記載される。
【００６０】
室３は第１流体、例えば油、で満たされている。第２流体、例えば水、を収容している注射器が次に連結オリフィス９に連結されて、そして、水がマイクロ通路８の出口１３に到達するまでマイクロ通路８中に注入される。
【００６１】
上述した如く、マイクロ通路８の出口１３に位置している水は、表面張力のお蔭により２つの対向している力にさらされている。第１の張力は、マイクロ通路８から水を抽出する傾向にある表面エネルギー傾斜のお蔭であり、室３中に突出しているとともにマイクロ通路８中に収容されている水に対し付着されている指１４ａを形成している。
【００６２】
第１の力とは正反対であるとともに毛管力に対応している第２の力は、指１４ａをマイクロ通路８中に収容されている水に付着させておく傾向がある。
【００６３】
第１の力が第２の力よりも大きくなった時に指１４ａは分離する。マイクロ通路８及び室３の所定の形状の為に、この第１の力は指１４ａの容積の関数である。従って、動作中には、指１４ａの容積が、第１の力が第２の力よりも大きくなるとともに前記指が小滴１４ｂを形成するよう分離するまで、順次増大する。
【００６４】
マイクロ通路８の寸法及び室３の断面の拡大は、所定の寸法の小滴１４を得るように決定されている。特に、前記マイクロ通路の出口における室３の高さｈ１は、形成される小滴１４の直径よりも小さくなければならない。
【００６５】
水がマイクロ通路８の出口１３へと供給される間に、水小滴１４ｂは従って前記室中に連続して形成される。
【００６６】
要求に従い、油の流れが室３中で付加されて良い。
【００６７】
前記室中でそれ等に適用可能な増大している流れ断面のお蔭で、マイクロ通路８の出口１３において形成された小滴１４ｂは室３の正反対の端７に向かい自然に移送される。上述した如く、そこでは平坦な形状を取っている小さな断面の区域中に位置している小滴１４ｂは、その中ではそれがより球形状であり、そして従ってより少なく抑制される形状を取ることが出来るより大きな断面の区域へと自然にひかれる。図１中に見ることが出来るように、地点６に近い小滴１４ｂは、壁１０及び１２間で平坦にされている結果として、第２端７に近い小滴１４ｂの外見上の直径ｄ２よりも大きな外見上の直径ｄ１を示す。
【００６８】
図３は、マイクロ通路８を介して到着した水の流量の関数として、所定の位置で測定された時の小滴１４ｂの直径における変化を記した図表（graph）である。この変化は適用される流量の非常に大きな変化の間でさえ実際上は零であることが見て取れ、それによりこの発明が動作状況とは無関係に厳正な寸法の小滴１４を得ることが出来ることを明示しており、それによりこの小滴−形成装置をより簡単に動作させることが出来る。図３中に示されている例においては、小滴１４の寸法は数百マイクロメーターの範囲であり、しかしながら装置１の寸法を減少させることは、その動作を大きく変更させることなく、数百ナノメーターの寸法を有している小滴１４を得ることを可能にしている。
【００６９】
その装置の動作は、詳細には、流体（ガス又は液体）の性質及び表面張力の値からは独立している。
【００７０】
図４中に示されている異なった実施形態においては、室３中へのマイクロ通路８の出口１３が段１６、即ち、前記マイクロ通路の断面における突然の変化、を含んでいる。この段１６は、上壁１１中に形成されている。前記上壁は従って、マイクロ通路に対し直角であり前記段を形成しているとともに、前述したのと同様に、底壁１０に対して或る角度を形成している傾斜部分１２により延出されている部分１６を有している。このような段１６は、所定の傾斜の為により小さな寸法の小滴を形成するのに使用されて良い。
【００７１】
図５は、もう１つの異なった実施形態を示しており、ここにおいては前記段が上壁１１の凹形状連結区域１７により置き換えられていて、この区域はマイクロ通路８の出口１３を傾斜部分１２に連結している。
【００７２】
これは、図２の装置で形成された小滴又は気泡（bubble）の速度よりも遅い速度で移動する小滴又は気泡（bubble）を形成することを可能にしている。
【００７３】
図６はさらなるもう１つの異なった実施形態を示しており、ここにおいては上壁１１の連結区域１８が凸形状である。これは、より良く厳密にされている寸法の小滴を形成することを可能にしている。
【００７４】
図７は、図２のものと同様なこの発明の一実施形態を示しており、そしてそこにおいては本体２は２つの部分、上部分２ａ及び底部分２ｂの夫々、により作り上げられている。室３の上壁１１の傾斜部分１２は、例えば、フライス削り（milling）により又は如何なる他の適切な方法により、上部分２ａ中に作成されている。底部分１２ｂは、フォトリソグラフィー（photolithography）により，プラスチック成形により（plastic forming），又は如何なる他の適切な方法により作成された、マイクロ通路８を含む。
【００７５】
このようであれば、部分２ａ，２ｂの一方又は他方を変えることのみにより小滴の特性（寸法，速度）を変化させることが可能である。
【００７６】
これはまた、小さな高さのマイクロ通路を有し、そして従って、単一部材の本体と比較して、非常に小さな（例えば、１０μｍ以下）小滴を形成することを可能にする。
【００７７】
部分２ａ及び２ｂの為に使用された材料は、異なっていて良いし、又は同じであって良い。さらには、部分２ａ及び２ｂは、同じ寸法の小滴を創出する為の装置を形成するよう分離できない方法で互いに積層されて良い。逆に、それらは、それらの部分の一方又は他方を交換することにより小滴の寸法を変化させることを可能にするよう分離可能な方法で互いに固定されて良い。
【００７８】
図８は、前記マイクロ通路がより小さな幅、即ち収縮（constriction）、の区域１９を含んでいる実施形態を示している。異なったものにおいては、この区域は局所的な拡大（enlargement）（示されていない）であることが出来る。このようであれば、小滴１４は、収縮又は拡大の位置において、選択されたそして制御された方法で、マイクロ通路８中に収容されている流体の残りから離れるようになり、それにより、創出された小滴の寸法にわたるより良い制御を得ることを可能にしている。
【図１】
2013523431.tif 000003
【図２】
2013523431.tif 000004
【図３】
2013523431.tif 000005
【図４】
2013523431.tif 000006
【図５】
2013523431.tif 000007
【図６】
2013523431.tif 000008
【図７】
2013523431.tif 000009
【図８】
2013523431.tif 000010
【図９】
2013523431.tif 000011
【図１０】
2013523431.tif 000012
【図１１】
2013523431.tif 000013
【国際調査報告】
2013523431.tif 000014
2013523431.tif 000015
2013523431.tif 000016
2013523431.tif 000017
2013523431.tif 000018
2013523431.tif 000019
2013523431.tif 000020
2013523431.tif 000021